(57)【要約】  消費者製品、特に歯ブラシ用の陳列パック(10)。シート形態のプラスチック材料支持物(11)が、縁部に沿って縦方向に配置されており且つ第一の分離可能な連結(17)により支持部に取外し可能に連結されている、製品のための複数のバブルパック(15)を備えた下縁部(12)を有している。縦方向に隣接したバブルパックが、一つ以上の第二の分離可能な連結(18)により、相互に一体的に取外し可能に接続されており、縦方向に連続的な第二の連結は、支持物の下縁部を横断する方向に、支持物の下縁部から異なる距離にある。【選択図】図３
2017532263.tif 000002
【特許請求の範囲】
【請求項１】
上縁部を有し且つ長さ方向を備えた下縁部を有する、少なくも部分的にプラスチック材料で作製されているシート形態の支持物と、
プラスチック材料で作製されており且つ前記下縁部に沿って連続的に縦方向に配置されている製品のための空洞部を画定しているバブル部を有する複数のバブルパックであって、各々が、第一の分離可能な連結により前記支持物に一体的に取外し可能に連結されている第一の端部を有しており、前記縁部の長さを横断する方向に前記下縁部から離れて前記支持物から遠い第二の端部まで延在している、複数のバブルパックと、
一つ以上の第二の分離可能な連結により、相互に一体的に取外し可能に接続されている縦方向に隣接したバブルパックであって、縦方向に連続的な第二の連結は、前記支持物の前記下縁部を横断する方向に前記支持物の前記下縁部から異なる距離にある、縦方向に隣接したバブルパックと、を含んでいる、消費者製品用の陳列パック。
【請求項２】
前記シート形態の支持物は、プラスチック材料の薄いシート、又は積層、又はその上に印刷されたユーザ文字列を有する表示ボードを間に備えた透明なプラスチック材料の二層を含んでいる、請求項1に記載の陳列パック。
【請求項３】
前記下縁部は真っ直ぐであり、五個から十個のバブルパックが、前記下縁部に沿って一列に取外し可能に接続され得るような長さである、請求項1又は2に記載の陳列パック。
【請求項４】
前記シート形態の支持物は、陳列のために吊り下げられるか又は別の方法で支持されるようになされている、請求項1、2又は3に記載の陳列パック。
【請求項５】
前記支持物は、その下縁部に対向するその上縁部を備えた矩形であり、前記上縁部付近に、前記支持物を陳列フックに吊り下げるための開口部を有している、請求項4に記載の陳列パック。
【請求項６】
縦方向に隣接したバブルパックは、前記支持物のプラスチック材料部と前記バブル部とを共に一体的に形成することにより、第一の分離可能な連結により前記支持物に一体的に取外し可能に接続されて作製されている、請求項1から5のいずれか一項に記載の陳列パック。
【請求項７】
前記バブルパックは、前記縁部の長さに対して垂直な方向に、前記下縁部から離れて延在している、請求項1から6のいずれか一項に記載の陳列パック。
【請求項８】
前記第二の分離可能な連結は、縦方向に隣接したバブルパックのプラスチック材料部を共に一体的に形成することによりもたらされている、請求項1から7のいずれか一項に記載の陳列パック。
【請求項９】
前記分離可能な連結は、それぞれ前記バブルパックと前記支持物との間に、且つ隣接したバブルパック間に、前記プラスチック材料の容易に切断可能なブリッジを含んでいる、請求項1から8のいずれか一項に記載の陳列パック。
【請求項１０】
前記切断可能な連結は、0.5〜5mmの分離方向を横断する寸法を有している、請求項9に記載の陳列パック。
【請求項１１】
前記切断可能な連結は、一つ以上の一体的な点連結を含んでいる、請求項1から10のいずれか一項に記載の陳列パック。
【請求項１２】
バブルパックと支持物との間に、二つ又は三つの点連結が存在している、請求項11に記載の陳列パック。
【請求項１３】
縦方向に隣接したバブルパック間に、二つの点連結が存在している、請求項11又は12に記載の陳列パック。
【請求項１４】
一対の縦方向に隣接したバブルパック間の前記分離可能な連結は、前記第一の端部により近接した前記バブルパックの半分にあり、別対の縦方向に隣接したバブルパック間の前記分離可能な連結は、前記第二の端部により近接した前記バブルパックの半分にある、請求項1から13のいずれか一項に記載の陳列パック。
【請求項１５】
一対の縦方向に隣接したバブルパック間の前記分離可能な連結は、前記バブルパックの前記第一の端部から前記第二の端部への距離の20〜40%の距離に配置されており、別対の縦方向に隣接したバブルパック間の前記分離可能な連結は、前記バブルパックの前記第二の端部から前記第一の端部への距離の20〜40%の距離に配置されている、請求項14に記載の陳列パック。
【請求項１６】
前記縦方向に隣接したバブルパック間の前記分離可能な連結が、前記支持物の前記下縁部からのバブルパックの距離内で互い違いにされて、一つが前記下縁部により近接しており、次のものはより遠くにあり、その次のものはより近接しているように、前記縦方向に隣接したバブルパック間の前記分離可能な連結は、前記長さ方向に沿ってずらして配置されている、請求項1から15のいずれか一項に記載の陳列パック。
【請求項１７】
陳列パックの各上縁部で一体的に接続されている、各々が請求項1から16のいずれか一項に記載の陳列パックである、二つの陳列パック。
【請求項１８】
前記一体的接続は折畳み可能な接続である、請求項17に記載の二つの陳列パック。
【請求項１９】
前記一体的接続は切断可能な接続である、請求項17に記載の二つの陳列パック。
【請求項２０】
前記二つの一体的に接続されたパックは、接続縁部を中心に折り畳まれることが可能であり、前記支持物の各吊り下げ開口部は前記折り畳まれた状態で前記開口部が整合するように配置されている、請求項17から19のいずれか一項に記載の二つの陳列パック。
【発明の詳細な説明】
【技術分野】
【０００１】
本発明は陳列パックに係り、詳細には、消費者製品、特に歯ブラシ用の陳列パックに関する。
【背景技術】
【０００２】
陳列パックは、製品がパッケージングされ、大抵は、店などの小売店内の陳列棚から陳列パックが吊り下げられ得る手段を陳列パックに設けることにより、製品がパッケージングされた形状で陳列されることが可能である、周知の物品である。消費者製品用の周知のタイプのパックが、バブル部(bubble part)が通常は透明なプラスチック材料で作製されており且つ中に含まれる製品の形状に適したバブル空洞部(bubble cavity)を画定している、所謂バブルパック(bubble pack)である。バブル空洞部は、カード又はプラスチックフィルムなどの、容易に開放可能な又は除去可能なフィルム材料で閉鎖されている開放面を有している。個々のバブルパックが購入者により除去され得るように、複数のバブルパックを分離可能な連結で連結している陳列パックが知られている。例えば、陳列パックがそれにより陳列されることが可能である、小売店で一般的に使用される標準化された吊下げフックの標準化された吊下げ穴を有する、バブルパック内の歯ブラシ用の陳列パックを開示している国際公開第12/087317号パンフレット及び国際公開第02/70590号パンフレットを参照されたい。一般に、そのような陳列パックは、吊下げ穴を設けられている上方支持部を含んでおり、例えば製品情報が該上方支持部上に表示されていることが可能であり、一連のバブルパックが連続的に配置されており、上部から櫛の歯のように延在しており且つ分離可能な連結、例えばプラスチック材料の疎らな一体的に作製されたブリッジ(bridges)により上部に取外し可能に接続されている、長さに沿った下縁部を有する。
【０００３】
顧客が、他のバブルパックを非意図的に取り外すことなく、一連のバブルパックの中央に配置されているバブルパックを取り外すことが難しい可能性があるという点で、歯ブラシのバブルパックのための既存の陳列パックに問題がある。
【発明の概要】
【発明が解決しようとする課題】
【０００４】
本発明の目的はこの問題に対処することである。本発明の他の目的及び利点が、以下の説明から明らかになるであろう。
【課題を解決するための手段】
【０００５】
本発明によれば、
少なくも部分的にプラスチック材料で作製されており且つ長さ方向を備えた下縁部を有するシート形態の支持物と、
プラスチック材料で作製されており且つ前記縁部に沿って連続的に縦方向に配置されている製品のための空洞部を画定しているバブル部を有する複数のバブルパックであって、各バブルパックは、第一の分離可能な連結により支持部に一体的に取外し可能に連結されている第一の端部を有しており、縁部の長さを横断する方向に下縁部から離れて支持物から遠い第二の端部まで延在している、複数のバブルパックと、
一つ以上の第二の分離可能な連結により、相互に一体的に取外し可能に接続されている縦方向に隣接したバブルパック(lengthways adjacent bubble packs)であって、縦方向に連続的な第二の連結は、支持物の下縁部を横断する方向に支持物の下縁部から異なる距離にある、縦方向に隣接したバブルパックと、を含んでいる、消費者製品用の陳列パックが提供されている。
【０００６】
本明細書に用いられている用語「下部」は、通常の陳列用途の間の陳列パックの配向、すなわち、支持物が最上部にあり、バブルパックが支持物の下方に垂下されている状態を指す。「上部」等の関連する方向用語は相応に理解されるべきである。
【０００７】
シート形態の支持物は、通常は約1mm以下の厚さの、ポリプロピレン又はポリエチレンなどの、陳列に一般に使用されている種類のプラスチック材料の薄いシートを含んでいてもよい。シート形態の支持物は、例えば間に表示ボード(display board)、例えばその上に印刷された文字列を有している透明なプラスチック材料の積層を含んでいてもよい。そのようなシート形態の支持物は、当該技術分野で周知である。
【０００８】
下縁部は真っ直ぐであり、通常は五個から十個のバブルパックが、下縁部に沿って一列に、下縁部に取外し可能に接続され得るような長さであることが好ましい。歯ブラシの小売りの分野では、通常は、歯ブラシを含んでいる六個のバブルパックがこのように接続されている可能性がある。
【０００９】
シート形態の支持物は、例えば小売店内で、陳列のために吊り下げられるか又は別の方法で支持されるようになされていてもよい。例えば、支持物は、それがフックから吊り下げられることを可能にする開口部を設けられていてもよい。そのような開口部の位置及び寸法は、国家基準、例えば所謂「ユーロフック(Eurohook)」により決定されている可能性がある。支持物は、例えば下縁部に対向する上縁部を備えた矩形であり、そのような開口部は上縁部付近にあってもよい。
【００１０】
本発明の陳列パックにおいて使用される一般的なタイプのバブルパックは、例えば前述のように周知であり、例えば、歯ブラシを含むために使用される。
【００１１】
縦方向に隣接したバブルパックは、支持物のプラスチック材料部とバブル部とを共に一体的に形成することにより、例えばバブル部と支持物とを一体的に熱成形することにより、且つ支持物とバブル部との間にプラスチック材料の一つ以上の容易に切断可能な一体的ブリッジを形成する方法で、前述の第一の分離可能な連結により、支持物に一体的に取外し可能に接続されて作製されていてもよい。これを行う方法は当該技術分野で周知である。
【００１２】
バブルパックは、支持物の下縁部の長さに対して垂直な方向に、下縁部から離れてバブルパックの第二の端部まで延在していることが好ましい。
【００１３】
縦方向に隣接したバブルパックが、一つ以上の第二の分離可能な連結により、相互に一体的に取外し可能に接続されている。上述と同様に、そのような分離可能な連結は、縦方向に隣接したバブルパックのプラスチック材料部を共に一体的に形成することにより、例えばバブル部を一体的に熱成形することにより、且つ隣接したバブル部間にプラスチック材料の一つ以上の容易に切断可能な一体的ブリッジを形成する方法で、もたらされる可能性がある。これを行う方法は当該技術分野で周知である。これを行う方法は当該技術分野で周知である。
【００１４】
前述の分離可能な連結の各々は、それぞれバブルパックと支持物との間に、且つ隣接したバブルパック間に、プラスチック材料の一つ以上の容易に切断可能なブリッジを含み得る。ユーザ、例えば小売客が、例えば支持物及び/又は隣接したバブルパックに対してバブルパックを引っ張るか又は捻じることにより、支持物からバブルパックを除去すること、及びバブルパックを相互に分離することが可能になるような分離可能な連結の適切な寸法は、当業者には当然のことであろう。支持物及びバブルパックのプラスチック材料に応じて、そのような連結、例えば一体的ブリッジは、分離方向を横断する小寸法、例えば0.5〜5mmを有し得る。連結は、一つ以上の実質的に一体的な点連結(spot link)を含み得る。例えばバブルパックと支持物との間に、二つ又は三つのそのような点連結があり、縦方向に隣接したバブルパック間に、分離可能な連結が二つのそのような点連結を含み得る。
【００１５】
支持物の下縁部に沿って縦方向に隣接したバブルパック間の縦方向に連続的な第二の分離可能な連結は、縁部を横断する方向に、支持物の下縁部から異なる距離にある。例えば、一対の縦方向に隣接したバブルパックの間の分離可能な連結は、第一の端部により近接したバブルパックの半分に存在していてもよく、別対の縦方向に隣接したバブルパック間の分離可能な連結は、第二の端部により近接したバブルパックの半分に存在していてもよい。例えば、一対の縦方向に隣接したバブルパック間の分離可能な連結は、バブルパックの第一の端部から第二の端部への距離の約20〜40%、例えば約3分の1の距離に配置されていてもよく、別対の縦方向に隣接したバブルパック間の分離可能な連結は、バブルパックの第二の端部から第一の端部への距離の約20〜40%、例えば約3分の1の距離に配置されていてもよい。
【００１６】
縦方向に隣接したバブルパック間の分離可能な連結が、支持物の下縁部からのバブルパックの距離内で下縁部の長さ方向に沿って互い違いにされて、一つが下縁部により近接しており、次のものはより遠くにあり、その次のものはより近接している等のように、縦方向に隣接したバブルパック間の分離可能な連結は、長さ方向に沿ってずらして配置されていてもよい。
【００１７】
ある実施形態では、本発明の陳列パックは、例えば二つの支持物を一体的に熱成形することにより、二つのパックの各上縁部で一体的に接続されている二つのパックを含んでいる形で設けられていてもよい。そのような構造では、各バブルパックは反対方向に延在している。一体的な接続は、例えば一列の穿孔により弱化された、折畳み可能な又は切断可能な接続であってもよく、その結果、二つの接続されたパックは接続縁部を中心に折り畳まれることが可能である。支持物の各吊下げ開口部は、折り畳まれた状態で開口部が整合するように配置されていてもよい。これに加えて又は或いは、本実施形態では、陳列パッケージは、それらの各上縁部間の接続を中心に切断可能であり、それにより二つの陳列パックをもたらしてもよい。
【００１８】
前述の説明から、本発明の陳列パックが、他のバブルパックを非意図的に取り外すことなく、特に歯ブラシの小売りの分野の、一連のバブルパックの中央に配置されているバブルパックを顧客が取り外すことを可能にするという問題に対処することが明らかである。これは、縁部を横断する方向に、縁部から異なる距離にある、縦方向に連続的な隣接した連結により達成され、その結果、バブルパックを取り外すのに使用された力の、あるバブルパックから別のバブルパックへの伝達がより少なく、したがって、あるバブルパックが除去された時、任意の他のバブルパックの非意図的な取外しの可能性がより低い。更なる利点として、本発明の陳列パックは、パックの要素の残部を乱すことなく、個々のバブルパックの優先的選択を可能にし、同時に、いくつかの他の利用可能なコンセプトと異なり360度の枠を必要としないので、より少ないパッケージング材料消費でこの形態を実現可能にする。また、本発明の陳列パックは商業面から融通性があり、同一生産ユニットの範囲内で複数のセット、例えば六個又は十二個のバブルパックの陳列を可能にし、製造における高い融通性を可能にする。
【００１９】
ここで、本発明は、添付図面を参照して、単に例として記載される。
【図面の簡単な説明】
【００２０】
【図１】本発明の陳列パックの一形態の図である。
【図２】本発明の陳列パックの別の形態の図である。
【図３】使用中の本発明の陳列パックの図である。
【発明を実施するための形態】
【００２１】
図1を参照すると、図1は本発明の陳列パック10全体を示す。陳列パック10は、当該技術分野で周知の方法で、その上に印刷されたユーザ文字列(user's text)を有する、間に挟まれた且つ透明材料を通して可視の(図示せず)表示ボードを備えた、二層の透明なプラスチックシート材料の形の、シート形態の支持物11を含んでいる。支持物11は通常は約26×13.5cmの矩形形状であり、真っ直ぐな下縁部12と対向する上縁部13とを有しており、各々は長さ方向「L」を有している。上縁部13付近に、支持物11がそれにより、下縁部12が下向きである(これがその通常の使用モードである)ように従来の陳列フックに吊り下げられ得る、標準的な所謂「ユーロフック」の形状及び大きさの開口部14がある。
【００２２】
プラスチック材料で作製されており且つ歯ブラシ(図示せず)を封入するのに適切な形状及び大きさの空洞部を画定しているバブル部16を有している、通常は約23×4cmの矩形形状の六つのバブルパック15が、下縁部12の長さに沿って連続的に配置されている。各バブルパック15は、支持部11のプラスチック材料部とバブルパック15のプラスチック材料部とを共に熱成形することにより一体的に形成されている点連結を各々が含んでいる三つの(より少なく又はより多く存在する可能性がある)第一の分離可能な連結17により、支持部11に一体的に取外し可能に連結されている第一の端部15Aを有している。これらの分離可能な連結17は、分離方向すなわち長さ方向「L」を横断する方向に、バブルパック15を支持物11から除去するのに十分に小さい寸法、例えば小売客などのユーザによりそれらが容易に切断され得る、0.5〜5mmを有している。各バブルパック15は、下縁部12の長さLに対して垂直な、バブルパックの長さ方向「LB」に下縁部12から離れて、支持物11から遠い第二の端部15Bまで延在している。
【００２３】
(長さLに沿った)縦方向に隣接したバブルパック15が、二つの(より少なく又はより多く存在する可能性がある)第二の分離可能な連結18により、相互に一体的に取外し可能に接続されており、その各々は、第一の分離可能な連結17と同様に、隣接したバブルパック15のプラスチック材料部を共に熱成形し、各連結18をプラスチック材料の疎らな一体的なブリッジとして形成することにより一体的に形成されている点連結18を含んでいる。第一の連結17と同様に、これらの点連結18は、長さ方向「L」に対して垂直な方向に、バブルパック15をその隣接したバブルパック15から分離するのに十分に小さい寸法、例えば小売客などのユーザにより点連結が容易に切断され得る、0.5〜5mmを有している。
【００２４】
(長さLに沿った)縦方向に連続的な第二の連結18は、縁部12に対して垂直な方向に、支持物の下縁部12から異なる距離にあることが、図1に認められる。例えば連結18Aが、バブルパック15の第一の端部15Aから第二の端部15Bへの距離の約3分の1にあり、一方、(長さLに沿った)縦方向に連続的な分離可能な連結18Bは、バブルパック15の第二の端部15Bから第一の端部15Aへの、長さLBに沿った距離の約3分の1にある。また、(長さLに沿った)縦方向に隣接したバブルパック15間の、18A、18Bなどの分離可能な連結が、支持物11の下縁部からの長さLBに沿ったそれらの距離内で互い違いにされて、一つ18Aが下縁部12により近接しており、次のもの18Bはより遠くにあり、その次のものはより近接している等のように、(長さLに沿った)縦方向に隣接したバブルパック15間の分離可能な第二の連結18は、長さ方向Lに沿ってずらして配置されていることが、図１に認められる。
【００２５】
図2は、例えば二つの支持物11を一体的に熱成形することにより、パックの各上縁部13で一体的に接続されて作製されている、図1に示されている二つのパック10を含んでいる、本発明の陳列パッケージ20を示している。この一体的な接続は、例えば一列の穿孔により弱化された、折畳み可能な又は切断可能な接続であってもよく、その結果、パック20は接続縁部13を中心に折り畳まれることが可能である。この折り畳まれた状態では、開口部14が整合するので、パック20は12個のバブルパック15を陳列することができる。これに加えて又は或いは、陳列パッケージ20は、それらの上縁部13間の接続を中心に切断可能であってもよく、図1に示されているように各々六個のバブルパック15の、二つの図1に示されている陳列パックをもたらす。
【００２６】
図3は、陳列パッケージ10がどのように使用される可能性があるかを示している。切断可能な連結18Aと18Bとの間でバブルパック15を注意深く引っ張り且つ/又は捻じることにより、これらの連結18A及び18Bは切断されて、それらの間のバブルパック15を、その二つの隣接物151及び152から分離する。連結18Aと18Bとの間のバブルパック15がその隣接物から分離されると、そのバブルパック15は、注意深く引っ張り且つ/又は捻じって、切断可能な連結17を切断することにより、支持物11から取り外され得る。縦方向に連続的な隣接した連結18Aと18Bとは下縁部12から異なる距離にあるため、このようにして除去されているバブルパック15から別の依然として取り付けられているバブルパック15への、バブルパックを取り外すのに使用されている力の伝達はより少なく、したがって、この方法が進められた場合、他の切断可能な連結18の非意図的な切断の可能性が低い。
【符号の説明】
【００２７】
10、20  陳列パック、陳列パッケージ
11  支持物
14  開口部
15  バブルパック
15A  (バブルパックの)第一の端部
15B  (バブルパックの)第二の端部
16  バブル部
151、152  隣接物
【図１】
2017532263.tif 000003
【図２】
2017532263.tif 000004
【図３】
2017532263.tif 000005
【国際調査報告】
2017532263.tif 000006
2017532263.tif 000007